(57)【要約】      （修正有）【課題】使い易いペットボトルを利用した顆粒体収納容器を提供する。【解決手段】プラスチック製円筒体１の内側に漏斗体１４が一体的に形成されており、該漏斗体の下端開口部の内側ネジ部１６をペットボトルの注ぎ口ネジ部に螺着し、該プラスチック製円筒体１の下方がペットボトルの肩部をカバーするように構成し、プラスチック製円筒体１の上方開口部にヒンジ１３を介して開閉自在の蓋体１１が取付けられており、蓋体１１を閉じる時には、該蓋体がプラスチック製円筒体の上方開口部にパッキンを介して密閉される構成とし、プラスチック製円筒体１の上方開口部に密閉して係止された蓋体１１の係止状態を解除することによって、開放方向へ付勢されている蓋体１１が開放され、収納物の出し入れを容易にするように構成されている。且つ、収納物の出し入れを容易にする為に、プラスチック製円筒体の内側の漏斗体上方に空間部が設けられている。【選択図】図３
0003183069.tif 000002
【実用新案登録請求の範囲】
【請求項１】
プラスチック製円筒体の内側に漏斗体が一体的に形成されており、該漏斗体の下端開口部の内側ネジ部をペットボトルの注ぎ口ネジ部に螺着し、該プラスチック製円筒体の下方がペットボトルの肩部をカバーするように構成したことを特徴とするペットボトルを利用した顆粒体収納容器。
【請求項２】
プラスチック製円筒体の上方開口部にヒンジを介して開閉自在の蓋体が取付けられており、蓋体を閉じる時には、該蓋体がプラスチック製円筒体の上方開口部にパッキンを介して密閉される構成としたことを特徴とする請求項１記載のペットボトルを利用した顆粒体収納容器。
【請求項３】
プラスチック製円筒体の上方開口部に密閉して係止された蓋体の係止状態を解除することによって、開放方向へ付勢されている蓋体が開放され、収納物の出し入れを容易にするように構成されていることを特徴とする請求項１記載のペットボトルを利用した顆粒体収納容器。
【請求項４】
収納物の出し入れを容易にする為に、プラスチック製円筒体の内側の漏斗体上方に空間部が設けられていることを特徴とする請求項１記載のペットボトルを利用した顆粒体収納容器。
【考案の詳細な説明】
【技術分野】
【０００１】  本考案は、ペットボトルを利用した顆粒体収納容器に関し、顆粒状の肥料や飼料の出し入れが容易で、特に園芸や家庭菜園並びにガーデニング等において、草花や鉢植え等に顆粒状の肥料等を撒布する際や、飼育している鳥等の小動物に顆粒状の飼料等を付与する際に使い易い容器を提供することを目的とするペットボトルを利用した顆粒体収納容器である。
【背景技術】
【０００２】  近年、園芸や家庭菜園並びにガーデニング等が盛んに行われており、これらに要する作業用具等が種々考案されている。
【先行技術文献】
【実用新案文献】
【０００３】
【実用新案文献１】
実用新案登録第３１５４８７７号
【考案の開示】
【考案が解決しようとする課題】
【０００４】  上述の実用新案は単価発酵鶏糞入りのペットボトルについては、家庭菜園等で少量の使用時に撒布し易く、残量もわかり易いペットボトルを使用した肥料容器として開示されているが、収容物の出し入れ作業が非常にやりづらく能率の悪いものであった。【０００５】  これに対し、本考案のペットボトルを利用した顆粒体収納容器の課題は、内容物（顆粒体）の出し入れが容易であって、撒布作業の場合でも容易に適量を撒布することのできる収納容器を提供することである。【０００６】  上述の内容物（顆粒体）とは肥料や飼料等の顆粒体を示しているが、後述するペットボトル２の注ぎ口に入る形状のものであればよい。【０００７】  また、内容物が顆粒体よりも細かい粒子のものであっても、本考案のペットボトルを利用した顆粒体収納容器を利用することができる。
【課題を解決するための手段】
【０００８】  プラスチック製円筒体の内側に漏斗体が一体的に形成されており、該漏斗体の下端開口部の内側ネジ部をペットボトルの注ぎ口ネジ部に螺着し、該プラスチック製円筒体の下方がペットボトルの肩部をカバーするように構成したことを特徴とし、プラスチック製円筒体の上方開口部にヒンジを介して開閉自在の蓋体が取付けられており、蓋体を閉じる時には、該蓋体がプラスチック製円筒体の上方開口部にパッキンを介して密閉される構成としたことを特徴とし、プラスチック製円筒体の上方開口部に密閉して係止された蓋体の係止状態を解除することによって、開放方向へ付勢されている蓋体が開放され、収納物の出し入れを容易にするように構成されていることを特徴とし、且つ、収納物の出し入れを容易にする為に、プラスチック製円筒体の内側の漏斗体上方に空間部が設けられていることを特徴とするペットボトルを利用した顆粒体収納容器である。
【考案の効果】
【０００９】  以上説明したように、本考案に係るペットボトルを利用した顆粒体収納容器によれば、顆粒状の肥料や飼料の出し入れが容易で、特に園芸や家庭菜園並びにガーデニング等において、草花や鉢植え等に顆粒状の肥料等を撒布する際や、飼育している鳥等の小動物に顆粒状の飼料等を付与する際に非常に使い易いものである。【００１０】  従来、草花や鉢植え等に顆粒状の肥料等を撒布する際や、飼育している鳥等の小動物に顆粒状の飼料等を付与する際に購入する市販の肥料や飼料は、１〜５ｋｇの塩化ビニルの袋に入れられて販売されており、作業者がその都度必要な容量を使って残りは袋に残したまま袋の開放部分を折り曲げて輪ゴムでとめたりして保管していたので、湿気を帯びて使えなくなることが多かったが、本考案に係るペットボトルを利用した顆粒体収納容器の場合は上記のような不都合を生じることはない。
【考案を実施するための形態】
【００１１】  図１乃至図３に示すように、プラスチック製円筒体１の内側に漏斗体１４が一体的に形成されており、該漏斗体１４の下端開口部の内側ネジ部１６をペットボトル２の注ぎ口ネジ部２１に螺着すると、プラスチック製円筒体１とペットボトル２とは強固に固定されると共に、該プラスチック製円筒体１の下方がペットボトル２の肩部をカバーするように構成されている。
【００１２】  図１乃至図３に示すように、プラスチック製円筒体１の上方開口部にヒンジ１３を介して開閉自在の蓋体１１が取付けられており、蓋体１１を閉じる時には、該蓋体１１がプラスチック製円筒体１の上方開口部にパッキンを介して密閉される。
【００１３】  プラスチック製円筒体１の上方開口部に密閉して係止された蓋体１１の係止状態を解除することによって、開放方向へ付勢されている蓋体１１が開放され、顆粒体４の出し入れを容易にすることができる。
【００１４】  蓋体１１の係止状態を解除するには、蓋体１１の一部を形成している押下げ部１２を作業者の指で押下げて行う。
【００１５】  顆粒体４の出し入れを容易にする為に、プラスチック製円筒体１の内側の漏斗体１４上方に空間部１５が設けられている。
【００１６】  図４で使用例を示しているように、ペットボトルを利用した顆粒体収納容器１０を作業者の手３で傾斜させて保持すれば、顆粒体４は図示するように空間部１５に一旦保持された後、作業者が必要な容量の顆粒体４を鉢植え２０等へ撒布することができる。
【図面の簡単な説明】
【００１７】
【図１】顆粒体収納容器の正面図である。
【図２】図１の側面図である。
【図３】図１の中央縦断面図である。
【図４】使用例を示す斜視図である・
【符号の説明】
【００１８】  １  プラスチック製円筒体
１０  ペットボトルを利用した顆粒体収納容器
１１  蓋体
１２  押下げ部
１３  ヒンジ
１４  漏斗体
１５  空間部
１６  内側ネジ部
２  ペットボトル
２０  鉢植え
２１  注ぎ口ネジ部
３  手
４  顆粒体
【図１】
0003183069.tif 000003
【図２】
0003183069.tif 000004
【図３】
0003183069.tif 000005
【図４】
0003183069.tif 000006